(57)【特許請求の範囲】
【請求項１】
入り口を弾性的に押し広げながら支柱をその側部から内部に受け入れるクランプ部と、
前記支柱の側方においてチューブを保持する保持部と、
前記クランプ部の上方であって、前記支柱を挟んで前記保持部と反対の側に備えられて、前記チューブへの流体流入時に生じる荷重により前記支柱に押しつけられる支持部とを備えてなる、チューブ保持具。
【請求項２】
前記支持部の前記支柱に対する押しつけ方向が、前記クランプ部への前記支柱の受入方向に対し交叉する向きとなるようにしてある、請求項１に記載のチューブ保持具。
【請求項３】
前記支持部は、摩擦抵抗を高くした滑り止め部を備え、この滑り止め部をもって前記支柱に接するようにしてなる、請求項１又は請求項２に記載のチューブ保持具。
【請求項４】
前記保持部は、基部と、この基部との間に前記チューブの保持空間を構成すると共に流体流入時の前記チューブにより弾性変形させられた状態で前記チューブに接する一対の腕部とを備えてなる、請求項１〜請求項３のいずれか１項に記載のチューブ保持具。
【請求項５】
前記基部は、流体流入時の前記チューブの一部を納める凹所を備えてなる、請求項４に記載のチューブ保持具。
【請求項６】
前記チューブは流体の流入により膨らんで扁平状から筒状になるようになっていると共に、
前記基部は、前記凹所を挟んだ両側に、前記扁平状時の前記チューブの縁部に対する接触部を備えてなる、請求項５に記載のチューブ保持具。
【発明の詳細な説明】
【技術分野】
【０００１】
この発明は、支柱に対し、流体の流されるチューブを、支持させるために用いられる保持具の改良に関する。
【背景技術】
【０００２】
水平方向の断面をＵ字状とする支柱取付部内に、支柱をその側部からはめ込むことで、前記支柱取付部と連結部を介して組み合わされた固定部に保持される灌水用チューブを地面との間に間隔を開けた状態で保持するようにしたものとして、特許文献１に示される支持部材がある。
【０００３】
この特許文献１のものにあっては、灌水チューブ側の荷重を前記のように支柱にはめ付けられる支柱取付部によって支える関係上、支柱取付部の上下寸法は短縮化し難い。すなわち、支柱取付部の上下寸法が短くなると支柱から支柱取付部が外れやすくなる。かかる支柱取付部の上下寸法は長いほど支柱からは外れがたくなるが、そうした場合、支柱を支柱取付部にはめ込むときの抵抗が大きくなることから、支柱への取り付け作業、さらには、支柱からの取り外し作業が容易でなくなる。また、灌水チューブの支持部材の大型化を招く。
【先行技術文献】
【特許文献】
【０００４】
【特許文献１】特許第４６１７１９３号公報（段落番号００７８、図９参照）
【発明の概要】
【発明が解決しようとする課題】
【０００５】
この発明が解決しようとする主たる問題点は、支柱にチューブを支持させるために用いられる保持具を、前記支柱に対する着脱が容易な構造としながら、チューブ側の荷重が大きくても支柱から外れることがなく、さらに、合理的に小型化可能とする点にある。
【課題を解決するための手段】
【０００６】
前記課題を達成するために、この発明にあっては、チューブ保持具を、入り口を弾性的に押し広げながら支柱をその側部から内部に受け入れるクランプ部と、
前記支柱の側方においてチューブを保持する保持部と、
前記チューブへの流体流入時に生じる荷重により前記支柱に押しつけられる支持部とを備えてなる、ものとした。
【０００７】
保持具は、支柱に対し、支柱の長さ方向に沿った取り付け位置を取り付け後に調整可能な態様で、取り付け可能とされる。保持部に保持されたチューブ側の荷重を前記支持部を支柱に押しつけて受けることができ、クランプ部に加わる荷重を減ずることができることから、クランプ部の上下寸法を可及的に小さくしても支柱の側方において所望の高さ位置に安定的にチューブを保持させることができる。これにより、支柱をクランプ部に受入させて支柱に保持具を取り付ける際、および、クランプ部から支柱を抜き出して支柱から保持具を取り外す際に、クランプ部を弾性変形させ易くすることができ、かかる取り付け、取り外し操作が容易となる。また、保持具を合理的に小型化可能となる。
【０００８】
前記支持部を、前記クランプ部の上方であって、前記支柱を挟んで前記保持部と反対の側に備えさせておくことが、この発明の好ましい態様の一つとされる。また、前記支持部の前記支柱に対する押しつけ方向が、前記クランプ部への前記支柱の受入方向に対し交叉する向きとなるようにしておくことが、この発明の好ましい態様の一つとされる。このようにした場合、前記支柱に対する保持具の前記取り付け、取り外し操作において、前記支持部が邪魔となることがない。
【０００９】
前記支持部は、摩擦抵抗を高くした滑り止め部を備え、この滑り止め部をもって前記支柱に接するようにしておくこともある。このようにした場合、支持部と支柱との摩擦抵抗を高めて支柱の側方においてチューブをより安定的に保持させることができる。
【００１０】
前記保持部は、基部と、この基部との間に前記チューブの保持空間を構成すると共に流体流入時の前記チューブにより弾性変形させられた状態で前記チューブに接する一対の腕部とを備えたものとしておくことが、この発明の好ましい態様の一つとされる。この場合、前記基部に、流体流入時の前記チューブの一部を納める凹所を備えさせておくことが、この発明の好ましい態様の一つとされる。このようにした場合、流体の流入によりチューブが膨らむときに、チューブの一部を前記凹所に納めながら、基部と反対の側では前記一対の腕部を弾性変形させながらチューブに押しつけることができ、このように膨らむチューブを保持部内の所定の位置に位置づけさせた状態で歪みなどを与えることなく膨らませることが可能とされる。
【００１１】
また、前記チューブを流体の流入により膨らんで扁平状から筒状になるようになっているものとすると共に、前記基部は、前記凹所を挟んだ両側に、前記扁平状時の前記チューブの縁部に対する接触部を備えたものとしておくことが、この発明の好ましい態様の一つとされる。このようにした場合、前記保持部において前記のように膨らむ前の扁平状のチューブを傾きなく保持可能であり、これにより、かかるチューブに散水用の小孔が設けられている場合にはこのチューブが保持部内で膨らんだときにかかる小孔が所望の向きにずれなく位置されるようにすることができる。
【発明の効果】
【００１２】
この発明によれば、支柱にチューブを支持させるために用いられる保持具を、前記支柱に対する着脱が容易な構造としながら、チューブ側の荷重が大きくても支柱から外れることがないようにすることができ、さらに、合理的に小型化することができる。
【図面の簡単な説明】
【００１３】
【図１】図１は、この発明の一実施の形態にかかる保持具（第一例）と支柱とを分離させた状態で示した斜視図である。
【図２】図２は、前記第一例の保持具の支柱への取り付け状態を示した斜視図である。
【図３】図３は、前記第一例の保持具の支柱への取り付け状態を示した斜視図であり、図２と反対の側から保持具を見て示している。
【図４】図４は、支柱に取り付けた前記第一例の保持具に膨らむ前のチューブを保持させた状態を示した斜視図である。
【図５】図５は、支柱に取り付けた前記第一例の保持具によって膨らんだチューブを保持している状態を示した斜視図であり、チューブに設けた小孔から噴出される水をあわせて表している。
【図６】図６は、図４の状態の背面図である。
【図７】図７は、図５の状態の背面図である。
【図８】図８は、前記第一例の保持具の正面図である。
【図９】図９は、前記第一例の保持具の背面図である。
【図１０】図１０は、前記第一例の保持具の平面図である。
【図１１】図１１は、前記第一例の保持具の底面図である。
【図１２】図１２は、前記第一例の保持具の右側面図である。
【図１３】図１３は、前記第一例の保持具の左側面図である。
【図１４】図１４は、この発明の一実施の形態にかかる保持具（第二例／参考例）の保持具の支柱への取り付け状態を示した正面図である。
【図１５】図１５は、この発明の一実施の形態にかかる保持具（第三例）の保持具の支柱への取り付け状態を示した背面図である。
【発明を実施するための形態】
【００１４】
以下、図１〜図１５に基づいて、この発明の典型的な実施の形態について、説明する。この実施の形態にかかる保持具Ｓは、支柱Ｐに対し、流体の流されるチューブを、支持させるために用いられるものである。
【００１５】
図示の例では、かかる保持具Ｓは、植物の育成に必要となる水を畑や培地に散水するために用いられるチューブＣ（ホースとも称される。）を、前記畑などに立てられた支柱Ｐを利用して、所定の高さ位置に支持させるために用いるのに適したものとなっている。支柱Ｐは前記畑などに隣り合う支柱Ｐとの間に間隔を開けて複数立てられ、各支柱Ｐに保持具Ｓが後述のクランプ部１をもって取り付けられ、各支柱Ｐにおいてぞれぞれ後述の保持部２をもってチューブＣが保持され、これにより、チューブＣと地面との間に距離を開けた状態で前記畑などにおいてチューブＣの配置が可能とされる。
【００１６】
また、図示の例では、前記チューブＣは流体の流入により膨らんで扁平状から筒状になるようになっている。すなわち、図示の例では、チューブＣは可撓性を有すると共に、水Ｗが送り込まれていない状態ではその長さ方向に直交する向きの断面を扁平状とし（図４、図６参照）、水Ｗが送り込まれると次第に膨らみ、最終的には前記断面を円形とするものとなっている（図５、図７参照）。図示の例では、かかるチューブＣには、複数の小孔（図示は省略する。）が設けられており、かかる小孔によって前記散水がなされるようになっている（図５参照）。
【００１７】
かかる保持具Ｓは、クランプ部１と、保持部２と、支持部３とを一体に備えてなる。典型的には、かかる保持具Ｓは、プラスチック材料よりなる成形品として提供される。
【００１８】
前記クランプ部１は、入り口１０を弾性的に押し広げながら支柱Ｐをその側部Ｐａ（支柱Ｐの長さ方向に直交する側）から内部に受け入れる構成となっている。図示の例では、クランプ部１は、上端と下端とを共に開放させた筒状体の側部に、前記上端と下端との間に亘る割り欠きを設け、この割り欠き箇所を前記入り口１０とした態様となっている。クランプ部１は水平断面において、その内部形状を円柱状をなす前記支柱Ｐの円形の水平断面に倣った形状としている。クランプ部１内には、前記入り口１０の広さを、奥側１１より狭めるようにする、係合突部１２が複数備えられている。係合突部１２は、前記円の中心を巡る向きに続く突条により形成されている。係合突部１２は、前記入り口１０の両側においてそれぞれ、上下方向に隣り合う係合突部１２との間に間隔を開けて、５箇所形成されている。各係合突部１２はそれぞれ前記入り口１０側に頂部１２ａを有し、この頂部１２ａよりも前記入り口１０の外側に位置される箇所を傾斜部１２ｂとしている（図１０、図１１参照）。
【００１９】
前記支柱Ｐの長さ方向に前記クランプ部１の中心軸ｘ（図８参照）を沿わせるようにして、この支柱Ｐの側部Ｐａを前記入り口１０に押しつけると、前記傾斜部１２ｂの作用によりクランプ部１の入り口１０は弾性的に押し広げられ、クランプ部１内への支柱Ｐの受入が許容され、支柱Ｐの直径位置が前記頂部１２ａを超えるとクランプ部１の弾性復帰が開始され、クランプ部１内に支柱Ｐが受入されきるとクランプ部１の弾性復帰が終了する。これにより、保持具Ｓを支柱Ｐに対し、支柱Ｐの長さ方向に沿った取り付け位置を取り付け後に調整可能な態様で、取り付け可能となっている。
【００２０】
また、図示の例では、前記クランプ部１は、前記入り口１０の反対側に位置される背部１３と、この背部１３と入り口１０との間に位置される左右の側部１４、１４を有する。かかる左右の側部１４、１４の一方、図示の例では、前記入り口１０の形成側を正面とした左側に位置される側部１４の外側には、水平方向に突き出す膨出部１５が形成されている。膨出部１５は、クランプ部１の上下方向中程の位置に位置される頂部１５ａと、下側斜面１５ｂと、上側斜面１５ｃとを有しており、頂部１５ａ位置でのクランプ部１の左右寸法を最大とする形状を備えている。
【００２１】
前記保持部２は、前記支柱Ｐの側方においてチューブＣを保持する構成となっている。この実施の形態にあっては、保持部２は、基部２０と、この基部２０との間に前記チューブＣの保持空間２２を構成すると共に流体流入時の前記チューブＣにより弾性変形させられた状態で前記チューブＣに接する一対の腕部２１、２１とを備えてなる。
【００２２】
図示の例では、保持部２は、一端４０を前記クランプ部１の前記膨出部１５の頂部１５ａ部分に一体に連接させて、水平方向に延びる第一アーム４に形成されている。図示の例では、第一アーム４の中心軸ｙと、クランプ部１の中心ｘ’とは、仮想の直線上に実質的に位置されるようになっている（図１０参照）。一方、第一アーム４の中心軸ｙとクランプ部１の中心軸ｘとは、第一アーム４の中心軸ｙ上であってクランプ部１の中心軸ｘよりも第一アーム４の突き出し側において、９０度よりもやや小さい角度（図示の例では８７．５度）をもって交叉するようになっている（図８参照）。図示の例では、前記のようにクランプ部１をもって支柱Ｐに保持具Ｓを取り付けたときに、クランプ部１に対しその中心軸ｘを支柱Ｐの中心軸に一致させないようにやや傾せる向きの力を作用させて、クランプ部１と支柱Ｐとの間に作用される摩擦力により支柱Ｐをガイドとしてクランプ部１が下方に勝手に移動しないようになっている。支柱Ｐに取り付けた状態では、クランプ部１の中心軸ｘを支柱Ｐの中心軸に一致させるようにすれば、保持具Ｓは支柱Ｐをガイドとして所望の位置までスライド移動可能とされる。ドーム状をなすビニールハウスの支柱のように支柱Ｐがやや傾斜して立てられている場合には、前記のようにクランプ部１に対し９０度よりもやや小さい角度をもって交叉する第一アーム４は実質的に水平に支柱Ｐから突き出されるように配置可能となる。
【００２３】
保持部２は、第一アーム４の突き出し方向略中程の位置と突き出し端４１との間に形成されている。前記基部２０は、前記第一アーム４の一端４０と前記保持部２の形成箇所との間におけるこの第一アーム４の上縁より下方でこの第一アーム４の下縁よりも上方に位置される仮想の第一水平線Ｌ１と、この第一水平線Ｌ１と第一アーム４の下縁との間に位置される仮想の第二水平線Ｌ２との間に形成されている（図８参照）。かかる基部２０は、前記第一アーム４の中心軸ｙに沿って続くリブ状を呈しており（図１０参照）、保持対象となるチューブＣに対し線的に接するようになっている。前記腕部２１は、前記基部２０の長さ方向中程の位置を通る仮想の垂直線Ｌ３を挟んだ両側にそれぞれ形成されている（図８参照）。一対の腕部２１、２１の一方の上端と前記仮想の垂直線Ｌ３との間の距離は、一対の腕部２１、２１の他方の上端と前記仮想の垂直線Ｌ３との間の距離と等しくなっている。また、一対の腕部２１、２１はそれぞれ、その上端２１ａに向かうに連れて前記仮想の垂直線Ｌ３に近づくように前記第一アーム４から斜めに突き出している。一対の腕部２１、２１の一方は前記第一アーム４の長さ方向中程の位置から上方に突き出し、一対の腕部２１、２１の他方は前記第一アーム４の突き出し端４１から上方に突き出している。
【００２４】
図示の例では、一対の腕部２１、２１の上端２１ａ間の距離は、前記扁平状のチューブＣの幅、および、膨らみきったチューブＣの直径よりも小さくなっている。一方、一対の腕部２１、２１の根元間の距離は、扁平状のチューブＣの幅と実質的に等しくなっている。
【００２５】
これにより、この実施の形態にあっては、典型的には、前記一対の腕部２１、２１間の距離を広げるようにかかる腕部２１を弾性変形させながら前記保持空間２２にチューブＣをその長さ方向に直交する向きより受入するようになっている。そして、前記保持空間２２において、前記のように膨らむ前の扁平状のチューブＣ及び膨らんだ状態のチューブＣをそれぞれ、安定的に保持可能となっている。
【００２６】
また、この実施の形態にあっては、前記基部２０は、流体流入時の前記チューブＣの一部を納める凹所２０ａを備えている。図示の例では、前記基部２０は、流体流入時の前記チューブＣの外形に倣った凹所２０ａを備えてなる。図示の例では、基部２０における前記一対の腕部２１、２１の一方の上端２１ａ下に位置される箇所と、前記一対の腕部２１、２１の他方の上端２１ａ下に位置される箇所との間に、前記凹所２０ａが形成されている。前記凹所２０ａは、流体流入時の前記チューブＣの外形に倣った弧状のものとすることが最適であるが、流体流入時の前記チューブＣの一部を納めてかかるチューブＣを位置ズレなく保持部２において保持し得る形状であれば足り図示のものに限られない。
【００２７】
これにより、この実施の形態にあっては、流体の流入によりチューブＣが膨らむときに、チューブＣの一部を凹所２０ａに納めながら、基部２０と反対の側では前記一対の腕部２１、２１を弾性変形させながらチューブＣに押しつけることができ、このように膨らむチューブＣを保持部２内の所定の位置に位置づけさせた状態で、前記小孔を変形させる歪みなどを与えることなく膨らませることが可能とされる。
【００２８】
また、この実施の形態にあっては、前記基部２０は、前記凹所２０ａを挟んだ両側に、前記扁平状時の前記チューブＣの長さ方向に沿った縁部Ｃ’（扁平状時のチューブＣにおける屈曲又は湾曲箇所側に位置される部分）に対する接触部２０ｂを備えている。図示の例では、基部２０における前記凹所２０ａの両側がそれぞれ、前記接触部２０ｂとして機能するようになっている（図６参照）。これにより、この実施の形態にあっては、前記保持部２において前記のように膨らむ前の扁平状のチューブＣを傾きなく保持可能であり、これにより、かかるチューブＣが保持部２内で膨らんだときにこのチューブＣに設けられた散水用の小孔が所望の向きにずれなく位置されるようにすることができる。
【００２９】
前記支持部３は、前記チューブＣへの流体流入時に生じる荷重により前記支柱Ｐに押しつけられる構成となっている。
【００３０】
図示の例では、支持部３は、前記クランプ部１の背面側において、前記膨出部１５に一端を一体に連接させて、前記クランプ部１の上端上であって、このクランプ部１の中心軸ｘを挟んだ前記第一アーム４の突き出し側と反対の側に突き出し端４１を位置させるように斜めに延び出す第二アーム５のかかる突き出し端５０に備えられている。
【００３１】
すなわち、前記支持部３は、前記クランプ部１の上方であって、前記支柱Ｐを挟んで前記保持部２と反対の側に備えられている。
【００３２】
また、前記支持部３の前記支柱Ｐに対する押しつけ方向ｆ１は、前記クランプ部１への前記支柱Ｐの受入方向ｆ２に対し交叉する向き、図示の例では直交する向き、となるようにしてある（図１０参照）。
【００３３】
図示の例では、第二アーム５におけるクランプ部１の入り口１０側に向けられた前面５１は、クランプ部１の内奥部と略同じ位置に位置されている（図１０参照）。また、支持部３は、第二アーム５の突き出し端５０からクランプ部１の入り口１０側に突き出す軸状を呈している。かかる支持部３は、クランプ部１の前記第一アーム４の突き出し側と反対の側の側部１４の内面よりも外方に位置されている（図１０参照）。これにより、支持部３は、支柱Ｐにおける第一アーム４の突き出し側と反対の側の側部Ｐａに、クランプ部１の上方においてチューブＣ側の荷重により押しつけられるようになっている。また、かかる支持部３の突き出し方向は、クランプ部１への支柱Ｐの受入方向ｆ１と平行で、しかも、平面視の状態において支持部３はクランプ部１の入り口１０よりも側方に位置されており、これにより、クランプ部１への支柱Ｐの受入を支持部３が妨げないようになっている。
【００３４】
かかる構成によれば、第一に、保持部２に保持されたチューブＣ側の荷重を前記支持部３を支柱Ｐに押しつけて受けることができ、クランプ部１に加わる荷重を減ずることができることから、クランプ部１の上下寸法を可及的に小さくしても支柱Ｐの側方において所望の高さ位置に安定的にチューブＣを保持させることができる。これにより、支柱Ｐをクランプ部１に受入させて支柱Ｐに保持具Ｓを取り付ける際、および、クランプ部１から支柱Ｐを抜き出して支柱Ｐから保持具Ｓを取り外す際に、クランプ部１を弾性変形させ易くすることができ、かかる取り付け、取り外し操作が容易となる。また、第二に、保持具Ｓを合理的に小型化可能となる。また、第三に、前記取り付け、取り外し操作において、前記支持部３が邪魔となることがない。
【００３５】
図示の例では、前記支持部３は、摩擦抵抗を高くした滑り止め部３０を備え、この滑り止め部３０をもって前記支柱Ｐに接するようになっている。具体的には、図示の例では、支持部３は、芯部３１と、この芯部３１を内側に通してこの芯部３１の外側に嵌め付けられるスリーブ状の滑り止め部３０から構成されている。このようにした場合、支持部３と支柱Ｐとの摩擦抵抗を高めて支柱Ｐの側方においてチューブＣをより安定的に保持させることができる。図示の例では、前記滑り止め部３０は、ゴムや、ゴム状弾性を備えたプラスチックによって構成されて、その摩擦抵抗を高くさせてなる。図示は省略するが、前記支持部３の表面を粗面としたり、この表面にローレットなどを設けるなどして、支持部３の摩擦抵抗を高めるようにしても構わない。
【００３６】
図１４は、前記支持部３を、前記クランプ部１の下方であって、前記保持部２と同じ側に備えさせた例（第二例／参考例）を示している。この例では、支持部３は、前記クランプ部１の背面側において、前記膨出部１５に一端を一体に連接させて、前記クランプ部１の下端下であって、このクランプ部１の中心軸ｘを挟んだ前記第一アーム４の突き出し側に突き出し端を位置させるように下方に延び出す第二アーム５のかかる突き出し端に備えられている。この第二例にあっても、前記支持部３の前記支柱Ｐに対する押しつけ方向は、前記クランプ部１への前記支柱Ｐの受入方向に対し交叉する向きとなるようにしてある。 したがって、この第二例にあっても、第一に、保持部２に保持されたチューブＣ側の荷重を前記支持部３を支柱Ｐに押しつけて受けることができ、クランプ部１に加わる荷重を減ずることができることから、クランプ部１の上下寸法を可及的に小さくしても支柱Ｐの側方において所望の高さ位置に安定的にチューブＣを保持させることができる。これにより、支柱Ｐをクランプ部１に受入させて支柱Ｐに保持具Ｓを取り付ける際、および、クランプ部１から支柱Ｐを抜き出して支柱Ｐから保持具Ｓを取り外す際に、クランプ部１を弾性変形させ易くすることができ、かかる取り付け、取り外し操作が容易となる。また、第二に、保持具Ｓを合理的に小型化可能となる。また、第三に、前記取り付け、取り外し操作において、前記支持部３が邪魔となることがない。この第二例のその余の構成は、前記第一例と実質的に同一であるので、その説明は省略する。
【００３７】
図１５は、前記保持部２において、前記のように膨らむ前の扁平状のチューブＣを、その幅方向が垂直方向に沿うように保持可能とした例（第三例）を示している。すなわち、この第三例では、保持部２を構成する基部２０は、縦向きとなっており、一対の腕部２１、２１の一方は、この基部２０の上端から下方に向けて斜めに突き出し、一対の腕部２１、２１の他方は、この基部２０の下端から上方に向けて斜めに突き出している。この第三例のその余の構成は、前記第一例と実質的に同一であるので、その説明は省略する。
【００３８】
なお、当然のことながら、本発明は以上に説明した実施態様に限定されるものではなく、本発明の目的を達成し得るすべての実施態様を含むものである。
【符号の説明】
【００３９】
１  クランプ部
１０  入り口
２  保持部
３  支持部
Ｐ  支柱
Ｐａ  側部
Ｃ  チューブ
【図１】
0006324268.tif 000002
【図２】
0006324268.tif 000003
【図３】
0006324268.tif 000004
【図４】
0006324268.tif 000005
【図５】
0006324268.tif 000006
【図６】
0006324268.tif 000007
【図７】
0006324268.tif 000008
【図８】
0006324268.tif 000009
【図９】
0006324268.tif 000010
【図１０】
0006324268.tif 000011
【図１１】
0006324268.tif 000012
【図１２】
0006324268.tif 000013
【図１３】
0006324268.tif 000014
【図１４】
0006324268.tif 000015
【図１５】
0006324268.tif 000016